(57)【要約】【課題】簡易な構成で複数のＴＳ間の位相を合わせることができるＯＦＤＭ変調装置を提供すること。【解決手段】任意の位相の複数系統のトランスポートストリーム（ＴＳ：Transport Stream）を連結して直交周波数分割多重（ＯＦＤＭ：Orthogonal Frequency Division Multiplexing）変調するＯＦＤＭ装置において、前記複数系統のＴＳのうち１系統のＴＳからフレーム同期信号を生成するＦｓｙｎｃ生成部１ａと、前記複数系統のＴＳを、系統毎に予め決められた遅延量で遅延する遅延部２−１〜ｎと、前記Ｆｓｙｎｃ生成部１ａで生成されたフレーム同期信号に基づいて前記１系統のＴＳと他の系統のＴＳとの間の位相差を検出し、前記位相差をもとに前記他の系統の前記遅延量を調整する位相調整部２ａ−２〜ｎとを具備する。【選択図】      図１
2011024012.tif 000002
【特許請求の範囲】
【請求項１】
任意の位相の複数系統のトランスポートストリーム（ＴＳ：Transport Stream）を連結して直交周波数分割多重（ＯＦＤＭ：Orthogonal Frequency Division Multiplexing）変調するＯＦＤＭ装置であって、
前記複数系統のＴＳのうち１系統のＴＳからフレーム同期信号を生成する生成部と、
前記複数系統のＴＳを、系統毎に予め決められた遅延量で遅延する遅延部と、
前記生成部で生成されたフレーム同期信号に基づいて前記１系統のＴＳと他の系統のＴＳとの間の位相差を検出し、前記位相差をもとに前記他の系統の前記遅延量を調整する調整部と
を具備することを特徴とするＯＦＤＭ変調装置。
【請求項２】
前記生成部は、前記１系統のＴＳのＦｂｉｔ（frame_head_packet_flag）に基づいて前記フレーム同期信号を生成することを特徴とする請求項１記載のＯＦＤＭ変調装置。
【発明の詳細な説明】
【技術分野】
【０００１】
この発明は、複数系統のトランスポートストリーム（ＴＳ：Transport Stream）を連結送信するための直交周波数分割多重（ＯＦＤＭ：Orthogonal Frequency Division Multiplexing）変調装置に関する。
【背景技術】
【０００２】
複数系統の放送ＴＳが入力され、放送ＴＳを連結送信するＯＦＤＭ変調器において、放送ＴＳは機器内で位相合わせを行う必要がある。通常は、前段機器とＯＦＤＭ変調器間に放送ＴＳとともにフレーム同期信号（Ｆｓｙｎｃ信号）を接続したり、外部に基準信号発生器等（Ｆｓｙｎｃ発生器）を準備して各機器に入力し、事前に位相合わせを行うことにより、ＯＦＤＭ変調器に入力する段階でほぼ位相を合わせた状態とし、ＯＦＤＭ変調器内では小さな位相合わせを行う構成とするだけであった（例えば、特許文献１及び２を参照。）。
【先行技術文献】
【特許文献】
【０００３】
【特許文献１】特開２００８−７８９１７公報
【特許文献２】特開２００７−２７４１２８公報
【発明の概要】
【発明が解決しようとする課題】
【０００４】
ところが、上述したような方法では、機器間の配線が多くなったり、基準信号発生器が必要となり、構成が複雑化する。また、ＯＦＤＭ変調器では調整可能な位相差の制約がある（任意の位相差に対応していない）という問題があった。
【０００５】
この発明は上記事情に着目してなされたもので、その目的とするところは、簡易な構成で複数のＴＳ間の位相を合わせることができるＯＦＤＭ変調装置を提供することにある。
【課題を解決するための手段】
【０００６】
上記目的を達成するためにこの発明に係るＯＦＤＭ変調装置は、任意の位相の複数系統のＴトランスポートストリーム（ＴＳ：Transport Stream）を連結して直交周波数分割多重（ＯＦＤＭ：Orthogonal Frequency Division Multiplexing）変調するＯＦＤＭ装置であって、前記複数系統のＴＳのうち１系統のＴＳからフレーム同期信号を生成する生成部と、前記複数系統のＴＳを、系統毎に予め決められた遅延量で遅延する遅延部と、前記生成部で生成されたフレーム同期信号に基づいて前記１系統のＴＳと他の系統のＴＳとの間の位相差を検出し、前記位相差をもとに前記他の系統の前記遅延量を調整する調整部とを具備するものである。
【発明の効果】
【０００７】
したがってこの発明によれば、簡易な構成で複数のＴＳ間の位相を合わせることができるＯＦＤＭ変調装置を提供することができる。
【図面の簡単な説明】
【０００８】
【図１】本発明に係るＯＦＤＭ変調装置の一実施形態を示す構成図。
【発明を実施するための形態】
【０００９】
以下、図面を参照しながら本発明の実施の形態を詳細に説明する。  
図１は、本発明に係るＯＦＤＭ変調装置の一実施形態を示す構成図である。
【００１０】
ＯＦＤＭ変調装置１００には、前段機器＃１〜ｎから任意の位相の複数系統の放送トランスポートストリーム（ＴＳ：Transport Stream）＃１〜ｎが入力される。これらの放送ＴＳ＃１〜ｎを連結送信するために、ＯＦＤＭ変調装置１００において、系統間の放送ＴＳの位相を合わせる必要がある。本実施形態では、一例として、＃１系統を基準とする場合について説明するが、いずれの系統を基準として構成しても良い。
【００１１】
同期部１−１〜ｎには所定のシステムクロック（図示せず）が与えられ、入力された放送ＴＳ＃１〜ｎは、このシステムクロックに同期制御される。＃１系統の同期部１−１のＦｓｙｎｃ生成部１ａは、放送ＴＳ＃１のＦｂｉｔ（frame_head_packet_flag）に基づいてフレーム同期信号（Ｆｓｙｎｃ）を生成する。Ｆｓｙｎｃ生成部１ａで生成されたＦｓｙｎｃは、基準信号として、その他の系統＃２〜ｎの遅延部２−２〜ｎに与えられる。
【００１２】
遅延部２−１〜ｎには、系統間の遅延差を吸収するように予め決められた遅延量が設定された遅延メモリ（図示せず）を有する。＃１系統の遅延部２−１は、放送ＴＳ＃１に対し、上記予め決められた遅延量で遅延処理を行ないＯＦＤＭ部３に入力する。
【００１３】
一方、その他の系統の遅延部２−２〜ｎの位相調整部２ａ−２〜ｎでは、Ｆｓｙｎｃ生成部１ａから与えられたＦｓｙｎｃに基づいて、＃１系統のＴＳと＃２〜ｎ系統のＴＳとの間の位相差を検出し、この位相差をもとに＃２〜ｎ系統の遅延量を調整する。すなわち、位相調整部２ａ−２〜ｎは、＃１系統のＴＳから生成されたＦｓｙｎｃと、該系統のＴＳ＃２〜ｎのＦｂｉｔからそれぞれ抽出したＦｓｙｎｃとの位相比較を行い、この位相差を上記予め決められた遅延量から差し引いて（または遅延量に足して）位相合わせを行う。遅延部２−２〜ｎは、放送ＴＳ＃２〜ｎに対し、上記位相調整部２ａ−２〜ｎでそれぞれ調整された遅延量で遅延処理を行ないＯＦＤＭ部３に入力する。
【００１４】
ＯＦＤＭ部３には、系統間の位相が揃った放送ＴＳ＃１〜ｎが入力される。ＯＦＤＭ部３は、位相が揃った放送ＴＳ＃１〜ｎをＯＦＤＭ変調し、ＯＦＤＭ信号を出力する。このように複数系統の放送ＴＳの位相合わせを行うことで、連結送信が可能となる。
【００１５】
以上述べたように、上記実施形態では、基準系統のＴＳからＦｓｙｎｃを生成し、このＦｓｙｎｃに基づいて、その他の系統のＴＳを基準系統のＴＳと位相を合わせるようにする。このようにすることで、ＯＦＤＭ変調装置に入力する複数の放送ＴＳ間の位相関係が任意であっても、放送ＴＳとともにＦｓｙｎｃを入力したり、基準信号発生器を設けたりすること無く、簡易な構成で複数の放送ＴＳ間の位相合わせを容易に行うことができる。
【００１６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１７】
１００…ＯＦＤＭ変調装置、１−１〜ｎ…同期部、１ａ…Ｆｓｙｎｃ生成部、２−１〜ｎ…遅延部、２ａ−２〜ｎ…位相調整部、３…ＯＦＤＭ部。
【図１】
2011024012.tif 000003